(57)【特許請求の範囲】
【請求項１】
遊技板と、
該遊技板の裏側に設けられる遊技機用基盤ボックスと、
被カバー部材に対して回転及び着脱可能に取り付けた開閉自在なカバー部材と、を有し、
前記カバー部材の横に遊技機用基盤ボックスを配置し、該カバー部材の遊技機用基盤ボックス側の側面に開口を形成すると共に遊技機用基盤ボックスの側部を該開口からカバー部材内に臨ましめ、
一方、被カバー部材とカバー部材の夫々に、カバー部材が閉位置にあるとき係合し合ってそのカバー部材の外れ方向への移動を阻止する係止手段を設けるようにしたことを特徴とする遊技機。
【発明の詳細な説明】
【０００１】
【発明の属する技術分野】
本発明は、回転及び着脱可能な開閉型のカバー部材を有するパチンコ機などの遊技機に関する。
【０００２】
【従来の技術】
従来、例えばパチンコ機の遊技板１００裏面には、図１５に示したように、浅箱形態の裏カバー１０１が取り付けられている。この裏カバー１０１は合成樹脂の成型品であって、ほぼ中央に表示装置や大型の入賞装置（以下表示装置等という。）を張り出させるための通し窓１０２が設けられている。裏カバー１０１には、前記通し窓１０２を塞ぐように深箱形態の防塵カバー１０３が回転及び着脱可能な形態で取り付けられ、また、通し窓１０２の横に遊技機用基盤ボックス１０４が着脱自在な形態で取り付けられる。前記防塵カバー１０３は、裏カバー１０１と一体の軸受１０５に対して自己の回転ピン（図示せず）を上手から差し込んで取り付け、また、その回転ピンを上向きに引き抜いて取り外す。
【０００３】
【発明が解決しようとする課題】
パチンコ機は、製造メーカーから各遊技場に送られるが、輸送時の振動や積み降ろし時の衝撃で前記防塵カバー１０３の回転ピンが軸受１０５から外れるおそれがあった。
【０００４】
【課題を解決するための手段】
遊技板と、該遊技板の裏側に設けられる遊技機用基盤ボックスと、被カバー部材に対して回転及び着脱可能に取り付けた開閉自在なカバー部材と、を有し、前記カバー部材の横に遊技機用基盤ボックスを配置し、該カバー部材の遊技機用基盤ボックス側の側面に開口を形成すると共に遊技機用基盤ボックスの側部を該開口からカバー部材内に臨ましめ、一方、被カバー部材とカバー部材の夫々に、カバー部材が閉位置にあるとき係合し合ってそのカバー部材の外れ方向への移動を阻止する係止手段を設けるようにした遊技機を提供する。
【０００５】
上記遊技機は、カバー部材が閉位置にあるときに係止手段が係合してカバー部材の外れ方向への移動を阻止するため、輸送時の振動や積み降ろし時の衝撃がカバー部材に加わっても被カバー部材から外れない。また、係止手段は、カバー部材が開位置にあるとき係合しないため、カバー部材の着脱が従来と同じ要領で行える。
【０００６】
【発明の実施の形態】
以下に本発明の実施の形態を図面を参照しつつ説明する。なお、図１は要部を示す分解斜視図、図２は要部を示す横断面図、図３は遊技板を裏側から見た斜視図、図４は遊技板を裏側から見た正面図、図５は裏カバーの分解斜視図、図６は遊技板、基盤ボックス、防塵カバーを含む裏カバーの分解斜視図、図７はパチンコ機の横断平面図、図８は遊技板の要部を示す断面図、図９，図１０は基盤ボックスの装着方法を説明する要部断面図、図１１は鍵部材を示す基盤ボックスの要部斜視図、図１２は補助樋部材の一例を示す斜視図、図１３は遊技機を裏側から見た正面図、図１４は係止手段の他の形態を示す要部の分解斜視図である。
【０００７】
図７，図１３に示したようにパチンコ機などの遊技機Ｐは、四角い外枠１の前面に縦長長方形の前枠２を取り付けてなる。前枠２は、蝶番３を介して外枠１に取り付けられていて片開きドア状に回動し得る。前枠２は、長方形の窓穴（図示せず）を有する額縁形状であって、その裏側に桟部材４を介して遊技板５が取り付けられている。また、前枠２の裏側には桟部材４に取り付けたヒンジ具６を介して機構板７が取り付けられている。機構板７は、図１３に示したように、球タンク８、景品球案内樋９、景品球放出装置１０、景品球排出樋１１、入賞球集合樋１２、入賞球処理装置１３などの主要部品を集約設置したもので、前記ヒンジ具６を中心として片開きドア状に回動し得る。
【０００８】
前記遊技板５の裏側には図３に示したように被カバー部材の一例である裏カバー１４が取り付けられている。この裏カバー１４は、独立した二つのサイドカバー１４Ｌ，１４Ｒを主要構成部品とする。遊技板５の裏面に向かって右側のサイドカバー１４Ｒは合成樹脂の一体成型品であり、遊技板５に対向する腹面及び遊技板５の中心に向かう側面を開放させた浅箱形態であって、上下両側縁に遊技板５にビス止めするための取付片１５Ｒを一体に有し、また、背面一側に後述する防塵カバー１６用の軸受手段１７を突設してなる。なお、前記取付片１５Ｒには遊技板５に形成したボス穴Ｈに嵌合する位置決め用のボス１８Ｒが突設されている。
【０００９】
一方、遊技板５の裏面に向かって左側のサイドカバー１４Ｌは、図５に示したように、金属製の主体部材１９と、その主体部材１９の上下にビス止めして一体化する合成樹脂製の取付部材２０とからなる。この取付部材２０は、前記サイドカバー１４Ｒの取付片１５Ｒと同様なボス１８Ｌ付きの取付片１５Ｌを一体に有する。また、主体部材１９は、遊技板５に対向する腹面及び遊技板５の中心に向かう側面を開放させた浅箱形態であって、背面に多数の透孔２１を穿設してなる。この透孔２１は、後述する基盤ボックス２２の放熱作用を奏し、また、サイドカバー１４Ｌと遊技板５の間で入賞球が詰まった場合などにピンを差し込んで球詰まりを解消させる用途に使用することができる。
【００１０】
上記した二つのサイドカバー１４Ｌ，１４Ｒは、遊技板５裏面の左右側辺寄りに夫々配置して両者の間隔を広く開け、取付片１５Ｌ，１５Ｒに木ネジを通して遊技板５に直付けする。二つのサイドカバー１４Ｌ，１４Ｒは、遊技板５に予め形成したボス穴Ｈに取付片１５Ｌ，１５Ｒのボス１８Ｌ，１８Ｒを嵌めて正確に位置決めされる。このサイドカバー１４Ｌ，１４Ｒ同士の間を設置領域として、図４二点鎖線のように大型の表示装置等２３を設置することができる。
【００１１】
前記サイドカバー１４Ｌ，１４Ｒの間に図６及び図７に示したように開閉型カバーの一例である合成樹脂製の防塵カバー１６が取り付けられる。この防塵カバー１６は、遊技板５と対向する側が開口する深箱形態であって、右側のサイドカバー１４Ｒに対向する側の側辺上下に下向きピン状の回転手段２４を有し、また、反対側の側辺上下に穴あき片２５を有する。そして、防塵カバー１６の回転手段２４をサイドカバー１４Ｒの軸受手段１７に差込み、また、防塵カバー１６の穴あき片２５とサイドカバー１４Ｌの取付部材２０に設けた受穴２６に着脱自在な公知のボタン型パネルファスナーＮ（商品名「ナイラッチ：登録商標」）を差し込んで止める。
【００１２】
また、サイドカバー１４Ｌ，１４Ｒの下側には例えば図１２に示したような補助樋部材２７が遊技板５にビス止めされており、遊技板５の裏面に流れ込む入賞球を機構板７の前記入賞球集合樋１２に落下させる。なお、補助樋部材２７や入賞球集合樋１２などの入賞球が流れる経路に、前記主体部材１９と同様な球崩し用透孔２１を形成し、球詰まりが発生した場合にそこからピンを差し込んで球詰まりを解消させるようにするとよい。
【００１３】
ところで、前記サイドカバー１４Ｌには基盤ボックス２２を支持する取付台部としての機能があり、その機能を全うするために以下のような構造が備わっている。なお、基盤ボックス２２は、図６に示したように、ボックスベース２２ａとボックスカバー２２ｂの組み合わせであって、その上下両面の一コーナー部分（遊技板５の中心寄り且つ腹側）に回転軸２８，２８を突設してなり、内部に遊技内容を制御する制御装置（図示せず）を収めたものである。
【００１４】
先ず、第一にサイドカバー１４Ｌを基盤ボックス２２の取付台部とするため、図７に示すように、上の取付部材２０の下縁と下の取付部材２０の上縁に前記基盤ボックス２２の回転軸２８を受け入れる誘導路２９が設けてある。この誘導路２９は、取付部材２０と主体部材１９の重なり部分に形成した下向き（下の取付部材２０では上向き）凹状の溝形態であり、水平且つ遊技板５の裏面と平行になっている。また、誘導路２９には中間位置に切り口３０が設けてあり、その切り口３０から回転軸２８を出し入れする。なお、切り口３０の位置はどこでも構わないが、好ましくは、回転軸２８を出し入れするに際して基盤ボックス２２が防塵カバー１６に接触しない場所がよい。そうすることにより、防塵カバー１６を開け閉めせずに回転軸２８を出し入れすることができる。
【００１５】
第二に、サイドカバー１４Ｌを基盤ボックス２２の取付台部とするため、サイドカバー１４Ｌに基盤ボックス２２固定用のロック手段３１が形成されている。ロック手段３１は、基盤ボックス２２側に設置した鍵部材３１ａと、サイドカバー１４Ｌの主体部材１９に開設した係止穴３１ｂと、主体部材１９の一側辺に立ち上げた止め板３１ｃとからなる。
【００１６】
基盤ボックス２２に付属する前記鍵部材３１ａは、ほぼ「Ｅ」字形態の合成樹脂板であって、図１１に示したように、先端に鍵部３１ｄを有する主板３１ｅと、その主板３１ｅの両横に位置する支持板３１ｆとからなり、支持板３１ｆの中央部にビス３２を差し込んで基盤ボックス２２の腹面に取り付けられる。図１０に示したように鍵部材３１ａと基盤ボックス２２の間には僅かな間隔が設けられていて、鍵部材３１ａの端部を図１０矢示ｘ方向に押圧すると支持板３１ｆが撓んで鍵部３１ｄが基盤ボックス２２から離れる方向に浮き上がり、また、その押圧を解くと支持板３１ｆの弾性で初期状態に復帰する。
【００１７】
また、主体部材１９の係止穴３１ｂは前記鍵部材３１ａの鍵部３１ｄに対応するものであって、基盤ボックス２２が主体部材１９の止め板３１ｃに当接した状態で鍵部材３１ａの鍵部３１ｄが引っ掛かる。このように鍵部材３１ａの鍵部３１ｄが係止穴３１ｂに係合する位置が基盤ボックス２２のセット位置であり、この状態で基盤ボックス２２の回転軸２８は誘導路２９の端に位置している。
【００１８】
なお、言うまでもなくロック手段３１は上記の構造に限定されるものではなく、例えば、主体部材１９側に前記鍵部材３１ａに相当する部品を取り付け、それを基盤ボックス２２の縁に係合させるようにするなど、どのような構造であってもよい。
【００１９】
第三に、サイドカバー１４Ｌを基盤ボックス２２の取付台部とするため、サイドカバー１４Ｌの主体部材１９が導電性の金属で構成されている。そして、図５に示すように主体部材１９の上端に爪片３３を切り起こし、その爪片３３を上の取付部材２０の小窓３４から外部に突出させ、さらに爪片３３に端子ネジ３５を締め付ける。この端子ネジ３５に基盤ボックス２２のアース線を接続することにより、有害なノイズを主体部材１９で防止することができる。なお、遊技板５側に屈曲する主体部材１９の下側面１９ｚは、取付部材２０の樋面２０ｚに重なるようになっていて、入賞球に起因して発生するノイズも主体部材１９で防止することができる。
【００２０】
ちなみに従来は、基盤ボックス２２のノイズを防止するのに、基盤ボックス２２の裏側にノイズ対策用の導電プレートを別途取り付けるようにしていた。これに対して前記のように裏カバー１４自体を導電構造として基盤ボックス２２のノイズを防止させる手段を講ずるようにすれば、従来型の導電プレートが不要になってコスト削減に効果を発揮する。
【００２１】
次ぎにサイドカバー１４Ｌに対して基盤ボックス２２を着脱及び回動させる方法について説明する。先ず、図９のように基盤ボックス２２の上下の回転軸２８をサイドカバー１４Ｌの誘導路２９の切り口３０に通す。その際、基盤ボックス２２は図９二点鎖線のように主体部材１９の背面と平行を保って真っ直ぐ移動させるようにしてもよいし、同図一点鎖線のように斜めに傾けておいて最終的に主体部材１９に沿わせるようにしてもよい。なお、実施形態の切り口３０の位置は、基盤ボックス２２を前者の要領で真っ直ぐにして嵌めた場合に基盤ボックス２２の端が防塵カバー１６に接触しない設定となっている。従って、後者のように基盤ボックス２２を斜めに傾ける場合には予め防塵カバー１６を開いて基盤ボックス２２の邪魔にならないようにしておく必要がある。
【００２２】
次ぎに、図１０矢示ｙのように基盤ボックス２２を主体部材１９の背面上でスライドさせる。このとき基盤ボックス２２の回転軸２８は誘導路２９に入ったまま移動する。そして、基盤ボックス２２の一側面が止め板３１ｃに当たると鍵部材３１ａの鍵部３１ｄが主体部材１９の係止穴３１ｂに自動的に引っ掛かり、鍵部材３１ａと止め板３１ｃにより基盤ボックス２２がセット位置で固定される。
【００２３】
基盤ボックス２２のセット位置は、表示装置等２３の設置領域を広く確保する必要から可能な限り遊技板５の端に寄せられている。その結果、基盤ボックス２２がセット位置にあるとき、図７のように、その一部が機構板７の縁に被さって同図二点鎖線で示した機構板７の移動ルートＲを完全に塞いでしまう。そこで、機構板７を回動させる前に、先ず図１０矢示ｘのように鍵部材３１ａの端部を押圧して鍵部３１ｄを係止穴３１ｂから外し、その状態のまま基盤ボックス２２を遊技板５の外側に向けて引っ張り、回転軸２８が誘導路２９の他端に達したところで回転軸２８を中心に基盤ボックス２２を回動させ、図７一点鎖線のように垂直に立てる。そうすると、基盤ボックス２２が機構板７の前記移動ルートＲから外れるため、機構板７を全く不都合なく回動させることができる。また、基盤ボックス２２は、回転軸２８を移動させて防塵カバー１６から離れた誘導路２９の端に回転中心を移すようにしたため、防塵カバー１６を閉めたまま前記一連の作業が行える。そして、機構板７を閉じた後、再び基盤ボックス２２を回転させて図１０矢示ｙ方向に押し込めば、前記のように鍵部材３１ａの鍵部３１ｄが主体部材１９の係止穴３１ｂに引っ掛かるため、基盤ボックス２２がセット位置に固定される。
【００２４】
なお、実施形態の遊技機Ｐ（パチンコ機）は、基盤ボックス２２のセット位置を従来よりさらに遊技板５の端に寄せるための工夫が施されている。すなわち、図７に示したように、前枠２の回動中心を中心にして外枠１の内側を通る仮想円弧Ｖを描く。そして、基盤ボックス２２の外枠１と対向する側の側面に前記仮想円弧Ｖと同一か又は近似する形態の肉欠所３６を形成し、基盤ボックス２２の側面が仮想円弧Ｖにほぼ内接するようにセット位置を設定する。こうすることにより、従来の単純な箱形の基盤ボックスに較べて、肉欠所３６を設けた分だけ基盤ボックス２２を遊技板５の端に寄せることができる。また、図７に示したように外枠１の内面にも肉欠所３７を形成すれば、前記仮想円弧Ｖを拡大することができるから、さらに基盤ボックス２２を遊技板５の端に寄せることができる。このように基盤ボックス２２の肉欠所３６と外枠１の肉欠所３７を抱き合わせで実施した場合に最も高い効果が得られるのであるが、外枠１の肉欠所３７を単独で実施することも可能である。その場合でも従来の単純な箱形の基盤ボックスを現状よりさらに遊技板５の端に寄せることができる。
【００２５】
しかして、本発明は、被カバー部材と開閉型カバーの夫々に、開閉型カバーが閉位置にあるとき係合し合ってその開閉型カバーの外れ方向への移動を阻止する係止手段を設けるようにしたことを特徴とする。
【００２６】
先ず、実施形態における被カバー部材の係止手段は、図１，図２に示したように、裏カバー１４の軸受手段１７，１７の内側面に形成した凹部３８ａ，３８ａである。一方、開閉型カバーの係止手段は、防塵カバー１６の側壁前方に突設した凸片３８ｂ，３８ｂである。裏カバー１４の凹部３８ａと防塵カバー１６の凸片３８ｂは、図２実線で示したように防塵カバー１６が開位置にあるとき互いに離れた位置にあり、図２二点鎖線で示したように防塵カバー１６が閉位置にあるとき係合する。裏カバー１４の凹部３８ａと防塵カバー１６の凸片３８ｂが係合した噛み合い状態では防塵カバー１６の動きが回転手段２４を中心とする回転運動にのみ限定され、防塵カバー１６の外れ方向、すなわち回転手段２４を軸受手段１７から引き抜く方向への移動が阻止される。従って、防塵カバー１６が閉位置にある状態で輸送時の振動や積み降ろし時の衝撃が防塵カバー１６に加わっても裏カバー１４から外れない。また、凸片３８ｂは、防塵カバー１６が開位置にあるとき凹部３８ａから離れているため、防塵カバー１６の着脱は従来と同じ要領で簡単に行える。
【００２７】
以上本発明を実施の形態について説明したが、もちろん本発明は上記実施形態に限定されるものではない。例えば、実施形態では係止手段（凹部３８ａと凸片３８ｂ）を回転支持部（回転手段２４と軸受手段１７）の横に配置したが、それ以外の場所に形成してもよい。但し、係止手段を回転支持部から離れた場所に配置した場合には被カバー部材や開閉型カバーが合成樹脂製品であると弾性的な撓みが発生し易くなって係止手段の係合が不確実になるおそれがある。換言すれば、実施形態のように係止手段を開閉型カバーの回転支持部の横又はその近傍に配置する手段を講ずれば、被カバー部材や開閉型カバーが合成樹脂製品であって撓み易い場合でも、係止手段の係合位置は回転中心（被カバー部材と開閉型カバーの接合箇所）に近くて殆ど狂いが生じないため確実な係合が可能になる、という効果がある。
【００２８】
また、実施形態では、裏カバー１４に凹部３８ａを形成すると共に防塵カバー１６に凸片３８ｂを突設するようにしたが、図１４に示したように、裏カバー１４に凸片３８ｂを突設すると共に防塵カバー１６に凹部３８ａを形成するようにしてもよい。また、被カバー部材と開閉型カバーは、実施形態のような裏カバー１４と防塵カバー１６に限定されるものではなく、例えば、図１３のように機構板７を被カバー部材とし、入賞球処理装置１３のメンテナンス用カバー３９を開閉型カバーとするようにしてもよい。
【００２９】
【発明の効果】
本発明の遊技機は、カバー部材が閉位置にあるときに係止手段が係合してカバー部材の外れ方向への移動を阻止するため、輸送時の振動や積み降ろし時の衝撃がカバー部材に加わっても被カバー部材から外れるおそれがない。また、係止手段は、カバー部材が開位置にあるとき係合しないようになっているため、カバー部材の着脱が従来と同じ要領で簡単に行える、などの優れた効果がある。
【図面の簡単な説明】
【図１】  要部を示す分解斜視図である。
【図２】  要部を示す横断面図である。
【図３】  遊技板を裏側から見た斜視図である。
【図４】  遊技板を裏側から見た正面図である。
【図５】  裏カバーの分解斜視図である。
【図６】  遊技板、基盤ボックス、防塵カバーを含む裏カバーの分解斜視図である。
【図７】  パチンコ機の横断平面図である。
【図８】  遊技板の要部を示す断面図である。
【図９】  基盤ボックスの装着方法を説明する要部断面図である。
【図１０】  基盤ボックスの装着方法を説明する要部断面図である。
【図１１】  鍵部材を示す基盤ボックスの要部斜視図である。
【図１２】  補助樋部材の一例を示す斜視図である。
【図１３】  遊技機を裏側から見た正面図である。
【図１４】  係止手段の他の形態を示す要部の分解斜視図である。
【図１５】  従来の遊技板を裏側から見た斜視図である。
【符号の説明】
Ｐ    …パチンコ機（遊技機）
５    …遊技板
１４  …裏カバー（被カバー部材）
１６  …防塵カバー（カバー部材）
２２  …遊技機用基盤ボックス
３８ａ…凹部（係止手段）
３８ｂ…凸片（係止手段）
【図１】
0003951452.tif 000002
【図２】
0003951452.tif 000003
【図３】
0003951452.tif 000004
【図４】
0003951452.tif 000005
【図５】
0003951452.tif 000006
【図６】
0003951452.tif 000007
【図７】
0003951452.tif 000008
【図８】
0003951452.tif 000009
【図９】
0003951452.tif 000010
【図１０】
0003951452.tif 000011
【図１１】
0003951452.tif 000012
【図１２】
0003951452.tif 000013
【図１３】
0003951452.tif 000014
【図１４】
0003951452.tif 000015
【図１５】
0003951452.tif 000016